(57)【要約】  搬送体に対して積込み及び積下ろしを自動で行うための方法及びシステムを開示する。誘導システムは、走行パスを搬送体の近傍の位置までたどり、その後、センサによる搬送体のプロファイルにより、自動案内車両用が積荷を下ろすために搬送体の中へ向かってたどり、積荷を下ろすと搬送体を出るためにたどる搬送体パスが確定される。【選択図】図８
2011518741.tif 000002
【特許請求の範囲】
【請求項１】
入口部と、床及びルーフの少なくとも一方と、を有する搬送体に対して、積荷を持ち上げるためのフォーク対を有する自動案内車両（ＡＧＶ）を用いて積込みを行う方法であって、
前記自動案内車両に積荷を係合させるステップと、
前記自動案内車両を誘導システムを用いてポジションＡまで案内するステップであって、前記ポジションＡは前記搬送体の外に位置する、ステップと、
前記積荷を前記搬送体の所望の積荷位置に下ろすための搬送体パスを確定するステップと、
前記搬送体の床及び前記搬送体のルーフの一方の位置を確定するステップと、
前記自動案内車両を、前記誘導システムを用いて前記確定した搬送体パスに沿って前記所望の積荷位置まで案内するステップと、
前記積荷を前記搬送体の前記所望の積荷位置に下ろすステップと、を含む方法。
【請求項２】
前記搬送体の床及び前記搬送体のルーフの一方の前記位置を確定する前記ステップは、前記自動案内車両の支持面に対する前記搬送体の床及び前記搬送体のルーフの一方の前記位置を確定するものである請求項１に記載の方法。
【請求項３】
前記自動案内車両の前記支持面は、実質的に前記入口部の外に位置している請求項２に記載の方法。
【請求項４】
前記自動案内車両の前記支持面は、前記入口部に近接する請求項３に記載の方法。
【請求項５】
前記自動案内車両を前記確定した搬送体パスに沿って案内する前記ステップの前に、下ろすべき前記積荷には前記搬送体の前記入口部から所定距離内にある所望の積荷位置があることを判断するステップを更に含む請求項１に記載の方法。
【請求項６】
前記自動案内車両を前記確定した搬送体パスに沿って案内する前記ステップは、前記積荷が前記搬送体の前記入口部を入る時期を確定するステップを更に含む請求項５に記載の方法。
【請求項７】
前記確定した搬送体パスに沿って前記自動案内車両を案内する前記ステップは、前記積荷が前記搬送体の前記入口部に入る時期を確定する前記ステップを実行した後に、前記搬送体の長軸に沿った前記自動案内車両の動きと協動させて前記フォーク対を動かすステップを更に含む請求項６に記載の方法。
【請求項８】
前記フォーク対を協動させる前記ステップは、前記自動案内車両の前記支持面の角度に対する前記搬送体の床の角度を確定するステップを更に含む請求項７に記載の方法。
【請求項９】
前記支持面は、前記積込みベイエリアの前記床又はドック・ランプの少なくとも一方である請求項８に記載の方法。
【請求項１０】
前記フォーク対を協動させる前記ステップは、昇降機構及び前記自動案内車両上のフォーク・キャリッジの少なくとも一方を動かすステップを更に含む請求項７に記載の方法。
【請求項１１】
昇降機構及びフォーク・キャリッジの少なくとも一方を動かす前記ステップは、前記昇降機構及びフォーク・キャリッジの少なくとも一方を枢動させることで行われる請求項７に記載の方法。
【請求項１２】
前記自動案内車両を前記予定された積荷位置からポジションＡまで前記確定した搬送体パスに沿って自動案内車両を案内する前記ステップの後にポジションＡにおいて前記確定した搬送体パスからシステムパスへ切替えるステップと、前記搬送体の床及び前記搬送体のルーフの一方の位置を確定する前記ステップに応じて前記積荷を傾斜させるステップを更に含む請求項１に記載の方法。
【請求項１３】
前記自動案内車両が前記搬送体の前記入口部を通過する前に、前記搬送体の床及び搬送体のルーフの一方の前記自動案内車両に対する相対角度を確定するステップを更に含む請求項１０に記載の方法。
【請求項１４】
前記自動案内車両は、前記自動案内車両の前記支持面からの前記搬送体の床の前記相対角度を確定するため、その支持面の角度を水平面から確定する請求項１３に記載の方法。
【請求項１５】
前記自動案内車両が前記所望の積荷位置まで案内されるのに伴って前記自動案内車両上の前記積荷又は前記フォーク対が前記搬送体の床に接触するかどうかを判断するステップを更に含む請求項１に記載の方法。
【請求項１６】
前記自動案内車両が前記所望の積荷位置まで案内されるのに伴って前記自動案内車両上の前記積荷又は前記フォーク対が前記搬送体の床に接触するとの判断に応じて前記積荷を傾斜させるステップを更に含む請求項１５に記載の方法。
【請求項１７】
前記積荷を下ろす前記ステップは、前記積荷を傾斜させる前記ステップの後に発生する請求項１６に記載の方法。
【請求項１８】
前記積荷を下ろすステップは、前記自動案内車両が前記所望の積荷位置まで案内されるのに伴って前記積荷又は前記フォーク対が前記搬送体の床と接触するようになるとの判断に応じて前記積荷を傾斜させている間に発生する請求項１６に記載の方法。
【請求項１９】
昇降機構及びフォーク・キャリッジの一方を傾斜させて前記積荷を傾斜させる前記ステップを行い、前記方法は、前記昇降機構及び前記フォーク・キャリッジの一方を傾斜させている間に前記フォーク対を少なくとも部分的に取り出すステップを更に含む請求項１７に記載の方法。
【請求項２０】
前記自動案内車両が次の積荷を取得するために走行するのに伴って、前記昇降機構及びフォーク・キャリッジの一方を傾斜した位置から通常の位置に戻す請求項１９に記載の方法。
【請求項２１】
前記搬送体の床及び前記搬送体のルーフの一方の前記位置を決定する前記ステップは、主に、ビジョンセンサ、カメラセンサ、レーザー、ＬＡＤＡＲセンサ、レーダセンサ、光学センサ、音響センサからなる群から選択されるセンサによって行われる請求項１に記載の方法。
【請求項２２】
前記センサは、前記自動案内車両から離れて位置する請求項２１に記載の方法。
【請求項２３】
前記センサは、前記自動案内車両上に位置する請求項２１に記載の方法。
【請求項２４】
前記自動案内車両をポジションＡまで案内する前記ステップは、ポジションＡに到達する前に前記自動案内車両を１８０度回転させるステップを含む請求項１に記載の方法。
【請求項２５】
搬送体パスを確定する前記ステップは、積込み施設の壁に対する前記入口部の位置を含む前記搬送体の前記入口部を感知するステップも含む請求項１に記載の方法。
【請求項２６】
前記自動案内車両をポジションＡまで案内する前記ステップの後に、前記自動案内車両の実際の位置を較正するステップを更に含む請求項１に記載の方法。
【請求項２７】
前記較正するステップは、前記搬送体の近傍にある固定された物品のデータを収拾するステップと、前記固定された物品に対する前記自動案内車両の予定された位置と前記固定された物品に対する自動案内車両の実際の位置を比較するステップとを更に含む請求項２６に記載の方法。
【請求項２８】
前記システムにおける前記自動案内車両の前記実際の位置で前記誘導システムを更新するステップを更に含む請求項２７に記載の方法。
【請求項２９】
前記積荷を下ろす前記ステップの間、前記フォーク対が略垂直方向において実質的に自由に浮くことができるようにするステップを更に含む請求項１に記載の方法。
【請求項３０】
前記自動案内車両は、フォーク・キャリッジ及び前記積荷を前記長軸に沿って持ち上げる昇降機構を更に含み、前記フォーク・キャリッジ及び前記フォーク対の少なくとも一方は、前記長軸とほぼ一致して自由に動く請求項１に記載の方法。
【請求項３１】
自動案内車両（ＡＧＶ）を用いて搬送体に対する積込みを行う方法であって、
前記自動案内車両に積荷を係合させるステップと、
レーザー、慣性誘導システム、光学誘導システム、磁気誘導システムのうちの１つを用いて前記自動案内車両をポジションＡまで案内するステップと、
ポジションＡから前記搬送体における所望の積荷位置までの搬送体パスを確定するステップと、
前記搬送体の床及び前記搬送体のルーフの一方の位置を確定するステップと、
前記自動案内車両を前記搬送体パスに位置合わせするステップと、
前記自動案内車両を、前記慣性誘導システムを用いて前記確定した搬送体パスに沿ってポジションＡから前記所望の積荷位置まで案内するステップと、
前記積荷を下ろすステップと、
前記自動案内車両を、前記誘導システムを用いて前記搬送体パスに沿って前記所望の積荷位置からポジションＡまで案内するステップと、を含む方法。
【請求項３２】
前記積荷を下ろす前記ステップは、前記フォーク対の枢動を前記搬送体パスに沿って前記自動案内車両と協動させるステップを更に含む請求項３１に記載の自動案内車両。
【請求項３３】
前記フォーク対の枢動を協動させる前記ステップは、前記フォーク対を前記搬送体の床に対して略平行に合わせるステップを更に含む請求項３２に記載の自動案内車両。
【請求項３４】
搬送体パスを確定する前記ステップは、前記搬送体内の前記自動案内車両の前記位置に関連したフォーク対の枢動運動を確定するステップを更に含む請求項３１に記載の自動案内車両。
【請求項３５】
前記自動案内車両を下ろされた前記積荷から案内する前記ステップは、前記搬送体の床に対するフォーク対の少なくとも１つの角度を調整することを含む請求項３４に記載の自動案内車両。
【請求項３６】
前記自動案内車両を下ろされた前記積荷から案内する前記ステップは、前記フォーク対を少なくとも角度的に調整して前記積荷を支持するパレットとの係合を最小化するステップを更に含む請求項３１に記載の自動案内車両。
【請求項３７】
前記フォーク対を少なくとも角度的に調整するのに伴って前記フォーク対を垂直方向に調整するステップを更に含む請求項３６に記載の自動案内車両。
【請求項３８】
中央コントローラ及び自動案内車両コントローラを複数の自動案内車両（ＡＧＶ）のそれぞれに有する自動案内車両システムを用いて、各自動案内車両により搬送体に対して積込みを行う方法であって、
前記自動案内車両を積荷に係合させ、ポジションＡまでシステム走行パスに沿って走行させるステップであって、前記ポジションＡは積込みベイのドア近傍に位置する、ステップと、
ポジションＡの近傍の積込みベイのドアに位置する前記搬送体の側壁の位置及び搬送体のルーフ及び床の少なくとも一方を感知するステップと、
前記自動案内車両が前記搬送体内に向かってたどる搬送体パスを確定するステップと、
前記搬送体の前記入口部近傍において前記自動案内車両が従う積荷の傾斜調整を確定するステップと、
前記搬送体パス及び積荷の傾斜調整を前記中央コントローラにおける前記システム走行パスに追加するステップと、
前記自動案内車両を前記搬送体パスに沿って確定した積荷位置まで案内するステップと、
前記積荷を下ろすステップと、を含む方法。
【請求項３９】
前記積荷を保持するフォーク対の運動を前記自動案内車両の前記搬送体パスに沿った運動に協動させて、あらゆる確定した積荷調整を補償するステップを更に含む請求項３８に記載の方法。
【発明の詳細な説明】
【技術分野】
【０００１】
本出願は、「積荷を自動的に搬送体に積込むシステム及び方法」という題の２００８年４月２８日付で出願された米国特許予備出願の出願番号第１２／１１０，５２５の権益を引継ぎ、該出願に開示の全内容は引用することによって本願の一部を構成する。
【０００２】
本発明は、一般に物品処理車両に関し、特に、搬送体の床が積込みベイの床に対して縦ないし垂直方向にオフセットしている場合、又は角度がある場合であっても、搬送体に対する、該搬送体の端部付近の積荷を含む積荷の積込み及び積下ろしを最小限の干渉で自動的に遂行し得る自動案内車両に関する。
【背景技術】
【０００３】
自動案内車両（ＡＧＶ）は、積荷搬送のために種々の物品処理の工業分野において用いられている。この自動案内車両という用語は、一般に複数の自動誘導システムないし装置を搭載した頑丈な車両構造のものを指す。他方、自動案内カート（ＡＧＣ）という用語は同様の目的を有するが、その適用範囲が限られるとともに、より構造が簡素な車両構造のものを指す。請求項も含む本願において用いられる用語「自動案内車両」は、上記両方の車両、ＡＧＶ，ＡＧＣを含むとともに、更に自動案内される種類の他の車両をも含む意味に解される。
【０００４】
現今の軽荷重用自動案内車両の設計は、そのフレームの四隅に旋回脚輪を一般に備えているのが特徴であり、他の特徴は、カートの方向制御のための固定の脚輪及び駆動ホイールを備えていることである。現行の設計の例として、２つの固定脚輪がフレームに取着されるとともにカートフレームの各側の旋回脚輪の間のほぼ中央位置に配置される。これら旋回脚輪の２対の支軸及び固定脚輪の支軸はおおむね互いに平行をなす。カートフレームには操縦可能な駆動ユニットないし装置が設けられ、これはヒンジ結合されるとともにカートフレームからバネ負荷されたプレートにより取付けられ、これによって該操縦可能な駆動ホイールが支持面に対して適切な粘着摩擦を維持するようになっている。又、他の例では、固定された駆動ホイールが自動案内車両を推進し、操縦可能な脚輪用ホイールが該車両の運動を方向付ける構造となっている。一般的に重荷重用自動案内車両は、重荷重用フレーム及び少なくとも３つのホイールが含まれ、３つのホイールのうちの少なくとも１つは駆動ホイールであり、少なくとも１つは誘導システムによって指示される操縦ホイールである。これら自動案内車両の多くは、積荷を移動させるための既存の車両と製造又は配送設定の点において似ているが、自動的に誘導されるようになっている。
【０００５】
自動案内車両はその運動を制御する誘導システムを備えている。今日使用されている誘導システムとしては、ワイヤー誘導、レーザー誘導、磁気テープ誘導、オドメータ誘導、慣性誘導及び光学誘導などがあるが、それらは各々利点もあれば欠点もある。例えば、慣性誘導は追跡エラーを生じ易く、自動案内車両によって測定された走行距離と方向が実際の走行距離と方向とは異なることがある。このエラーを最小限にすることは可能であるが、長い走行距離の間にそれが大きくなるので、このエラーを例えば、中間点指示マーカー（磁気ペイント、無線周波数同一確認（ＲＦＩＤ）タグ等）を利用して、指定通路に沿って調整しなければならない。
【０００６】
レーザー誘導システムでは、自動案内車両が検出する特別のマーカーを用い、これによって走行制御を行なう。しかし、この型式のシステムはマーカーのトラブルが起き易い問題がある。特に注目すべきことは該マーカーは走行時のいかなる周囲状況においても存在することが求められることである。もし、自動案内車両の走行通路が変更された場合、これらマーカーも物理的に移動しなければならない。従って、この種の誘導システムを備えた自動案内車両は、このような特別のマーカーがある領域においてしか走行できないのであり、この発明の文脈では積込みあるいは積下ろしがなされるいずれの搬送体にも、これらマーカーを必要とする問題がある。
【０００７】
搬送体の自動的な積込み及び積下ろしに係る１つの困難な点は、固定の積込みドック位置に対する搬送体の位置の変化である。トラックの場合、搬送体は積込みベイ内に、例えばドライバーによって手動で位置付けられるのが通常である。しかし、この手動による位置付けは、搬送体の位置において感得されない変化を結果として招くことになる。例えばドライバーがトレーラ等の搬送体を積込みドックに位置付けても該トレーラがドックのドアに対して完全に合致させることは困難である。従って、トレーラがドックのドアに対して傾斜した角度状態になることとなり、その傾斜角度が不明であるとともにドックでの角度位置が変化し得るので、自動案内車両は、このトレーラの傾きを検出及び補償し得ず、トレーラ内の積荷を効果的に案内し分配することになるのである。公知の構成では、この問題を解決するために、スキッドプレートを用い、積込みドックに対する搬送体の位置を決めているが、これはコストがかかるとともにその効果も不十分である。トレーラは、ドックのドアに対する最適な位置からオフセットして位置付けられる可能性がある。自動案内車両によってより幅広の積荷を積み込む際に、１インチ程度のオフセットが積込み動作中に問題を引き起こす場合がある。
【０００８】
一般的に搬送体は、積込みのため、積込みベイのドアの外にある搬送体積込みエリア内に位置付けられる。搬送体の位置付け及び搬送体と積込みドックの間の多くの不一致により、自動案内車両による搬送体、特に、搬送体の端部に対する積込みが難しくなることがある。搬送体の自動積込み及び積下ろしに関連した困難な点は、自動案内車両が搬送体とドックとの間の高さの違いを克服しなければならないことである。搬送体は種々の型式のものがあり、又、同じ型式の搬送体でも種々の仕様のものがあって、高さがまちまちである。更に、一つの特定の搬送体の高さも一定ではない。搬送体に積込みがなされると、サスペンションが圧縮されるので搬送体の高さが変化する。確実な動作をなすために、自動案内車両は搬送体の高さ変化、すなわち、搬送体とドックとの間の変動する高さの違いに対応して作動する構成としなければならない。高さの変動によって、積荷が搬送体のルーフ又は搬送体のエントランス又は入口部のルーフの縁部に接触することがある。積荷と搬送体が接触すると、搬送体の積込みに問題が起こる。この問題の解決のために従来構成では流体圧作動装置あるいはジャッキ等を用いて搬送体の高さ位置の調整ならびに安定をはかるものが見られるが、これもコスト高となるとともに十分な効果も上げられない問題があった。
【０００９】
搬送体位置付けにおける変動は、搬送体の自動積込みを妨げる可能性があり、ほぼ確実に効率を下げる。例えば、最も効率的な積込みとして、複数の積荷を互いに極力近接させて位置付ける方法があるが、搬送体の予想される位置のいかなる変化も、これら積荷の分離を増大する傾向がある。
【００１０】
搬送体のドアに近くに最後数個のパレットを積込みこと等の他の問題も起こる。例えば、多くの積込み及び積下ろし施設の構成のために、搬送体積込みエリアは、積込みベイのドアに向けて下向きに合せられることがある。下方向の角度によって、搬送体の縁が高さに関して積込み施設の床の高さと容易におおむね合せられるようになる一方で、角度により搬送体の床及び積込み施設の床が互いに角度を持つようになる。搬送体の床の高さは搬送体同士でも異なるため、ドック・ランプを用いて高さ変動を補償する又は積込み施設の床と搬送体の床との間の移行を緩和させなければならない。
【００１１】
２つの間の移行には、ドックと搬送体の間のドック・ランプの険しい上り勾配又は険しい下り勾配が必要とされる場合があり、そのため、誘導が困難になったりトレーラの端部における積込みが困難になったりする。例えば、レーザー誘導システムを用いた自動案内車両では、それが上向き、あるいは下向きに移動して搬送体に入る際にレーザーがそのターゲットの上方又は下方を指すこととなって、該ターゲットを見失う虞がある。上述した搬送体及び搬送体積込みエリア施設について、トレーラの端部における積込みに関する難しい点として、自動案内車両の大部分がドック・ランプ又は積込み施設の床に位置している場合のように自動案内車両が搬送体の床に対して平行でなれば、自動案内車両にとって積荷を搬送体の床に下げてからパレット・ポケットからフォークを簡単に取り出すことができないことがある。より具体的には、搬送体の床が垂直方向及び角度的に積込み施設の床又はドック・ランプと位置合せされていなければ、フォークの先端が上面及び底面の一方に接触してフォークの自動案内車両に最も近い部分が上面及び底面の他方に接触して、パレットのポケットからフォーク引き抜くことが困難になることがある。従って、自動案内車両が最後の積荷を下ろした後で搬送体から戻ろうとする際に、最後の積荷が、自動案内車両によって引き戻される可能性がある。２つの支持面の角度は、搬送体に積荷が積まれるに従って大きくなる。更に積荷が搬送体に加わると、サスペンションが圧縮する。サスペンションが圧縮している時はトレーラの高さは低いので、搬送体の床と自動案内車両の支持面との角度が大きくなる。
【００１２】
自動案内車両を制御する誘導システムの使用にも拘わらず、搬送体からの積荷の積込みや積下ろしの処理において、これら誘導システムを使用しても未だ満足のいく効果が得られなかった。
【発明の概要】
【００１３】
上記諸問題に鑑みて、搬送体の自動積込み及び積下ろしのために種々の誘導システムの使用を効果的に組合せた構成の自動案内車両が求められる。特に、搬送体が予定された位置にない場合でも積荷の積込み及び積下ろしをなし得る自動案内車両が求められる。搬送体端部における積込みを容易かつ効率的に終了させるシステム及び方法も必要とされている。
【００１４】
本発明は、上記要求及び本明細書及び添付の図面から当業者にとって明らかになるようなその他要求を満足させるよう、自動案内車両によって搬送体に積荷の積込み及び積下ろしを行う方法及びシステムを提案するものである。本発明において、自動案内車両がまず積荷と係合し、次いで、この係合した積荷とともに主たる第１の誘導システムによって既知の位置まで案内される。この位置から、自動案内車両は搬送体の位置を確定し、そして搬送体に積荷を下ろすため進む。次いで、自動案内車両は次の所望位置に進む。
【００１５】
本発明の他の実施形態において、自動案内車両がまず積荷と係合し、次いで係合した積荷とともに誘導システムにより既知の位置まで案内される。この位置から該誘導システムが搬送体上の適切な所望位置を確定し、調整して自動案内車両を積荷とともに、その適切な位置に案内するとともに該積荷を配置する。次いで、調整された誘導システムが用いられて自動案内車両をおおむね上述した既知の位置まで戻し、ここにおいて、元の調整されていない誘導システムが自動案内車両の制御を再開する。
【００１６】
本発明の他の実施形態において、自動案内車両は、搬送体の位置を走査して、搬送体の床が垂直方向にオフセットしているか又は、搬送体の床が積込みベイ又はドック・ランプの床に対して角度を有するかを判断する。最後の自動案内車両が最後の積荷又は、場合によってはドアの内側の最後数個の積荷の１つを下ろすとき自動案内車両は、下ろした積荷の位置を変えることなく自動案内車両のフォークがパレット・ポケットにスムーズに出入りするように、フォークを自動案内車両に対して角度的に調整して角度的又は垂直方向のオフセットを補償する。従って、システムは、搬送体の位置を能動的に計測して、搬送体のドアの内側に配置された最後数個の積荷に対する自動案内車両のフォークの位置を補償する。
【００１７】
本発明の適用可能性は、以下の詳細な説明、特許請求の範囲及び以下に図面より更に明らかになる。尚、本発明の精神と範囲内で種々の変更や変形がなされることが当業者にとって明らかになるよう、詳細な説明及び具体例は、好適な実施形態を示素者であるが、あくまで例示的である。
【００１８】
本発明は、以下の詳細な説明、添付した請求の範囲及び添付の図面により、更により良く理解できるであろう。
【図面の簡単な説明】
【００１９】
【図１】本発明に係る自動案内車両の上面図である。
【図２】本発明に係る自動案内車両の側面図である。
【図３】本発明に係る自動案内車両の正面図である。
【図４ａ】本発明に係る自動案内車両において積荷の１つの積込み状態を示す搬送体の概略上面図である。
【図４ｂ】本発明に係る自動案内車両において積荷の他の積込み状態を示す搬送体の概略上面図である。
【図４ｃ】本発明に係る自動案内車両において積荷の他の積込み状態を示す搬送体の概略上面図である。
【図４ｄ】本発明に係る自動案内車両において積荷の他の積込み状態を示す搬送体の概略上面図である。
【図４ｅ】本発明に係る自動案内車両において積荷の他の積込み状態を示す搬送体の概略上面図である。
【図５】積込み動作の例示的フロー図である。
【図６】代替的自動案内車両の上面図である。
【図７】代替的自動案内車両の側面図である。
【図８】自動案内車両システム及び積込みエリアに対する搬送体の上面図である。
【図９】積荷を運ぶ例示的自動案内車両の説明図である。
【図１０】積込みベイ内で積み込みがされる搬送体を含む、積込みエリアの説明図である。
【図１１】積込みエリアの床よりも低い床を有する搬送体を示す部分的断面図である。
【図１２】積込みエリア上方に向かう角度を有する搬送体及び搬送体に最後の積荷を位置決めする自動案内車両を示す部分的断面図である。
【図１３】最後の積荷を下ろす図１２の自動案内車両及びパレットに対するフォークの位置決めを示す部分的断面図である。
【図１４】傾いたフォークを有する図１３の自動案内車両を示す部分的断面図である。
【図１５】積込みエリアから下方に向かう角度を有する搬送体を示す部分的断面図である。
【図１６】積荷を下ろす図１５の自動案内車両を示す部分的断面図である。
【図１７】パレットから簡単に取り出すためフォークを再び位置合せする図１６の自動案内車両を示す部分的断面図である。
【図１８】積込みドックから上方向に傾斜する搬送体に対して積下ろしを行う準備をする自動案内車両の部分的断面図である。
【図１９】自動案内車両の支持面に対する搬送体の床の角度を補償するために、図１８に示す状態から更に上に向かって傾斜するフォーク端を示す自動案内車両の部分的断面図である。
【発明を実施するための形態】
【００２０】
本発明に係る自動案内車両１０は図に示され、図を参照に説明される。但し、本発明において搬送体に積荷を自動的に積込む作業及び積下ろす作業は、図示の自動案内車両以外の構造のものにも適用可能である。例えば、本発明は、種々の構造の自動案内車両ならびに他の物品処理用車両にも適用可能である。
【００２１】
この自動案内車両１０は、該車両を操縦及び推進するための操縦機構及び駆動機構を備えている。図１−７に示すように、操縦及び駆動機構は、誘導システムに連結されているとともに該車両１０の推進および操縦のために用いられる駆動ホイール１２と操縦可能なホイール１４を有している。誘導システムは、自動案内車両１０が推進される際に操縦可能ホイール１４を旋回させて該車両１０を操縦する。駆動ホイール１２は、電気的差動を形成するように直列に接続された二重駆動ホイールで構成するのが望ましい。又、差動推進システムを用いても良い、例えば、駆動ホイールのためのマスター／スレーブモータ・コントローラの使用を介して、あるいは旋回脚輪を備えた差動又はパンツアー操縦システムである。
【００２２】
この誘導システム自体としては、公知の種々の誘導システムの内の１つを用いることができる。好ましい実施形態では以下に詳述するように２つの誘導システムを用いる。主たる第１の誘導システムは自動案内車両１０をプログラムされた走行路に沿って案内する慣性誘導システムである。好ましいシステムはプログラムされた走行路を使用する。操縦可能なホイール１４の位置は既に定められているとともに操作して動かすことができる。自動案内車両１０が走行する距離及び方向は、その限りではないが、好ましくは追跡ホイールによって測定される。この追跡ホイール又はその他システムと共働して、あるいはこれとは別途に操縦用エンコーダ及び各駆動ホイール上のエンコーダを備えたシステムを用いてもよく、これによって自動案内車両１０の走行距離及び方向を追跡する。該車両１０が走行する際、操縦可能なホイール１４が所定ないし任意の距離のところで所定ないし任意の位置に向けて旋回される。このようにして、自動案内車両１０は、該操縦可能なホイール１４の位置を特定すること、及びその位置まで走行した距離を特定することにより、殆どの走行面の全体にわたって走行するのに使用可能である。この詳細な記述は図面のみで与えられるが、主たる誘導システムとして、例えばレーザー誘導システムの使用も、本発明の精神及び範囲に含まれる。
【００２３】
自動案内車両１０は、積荷６０と係合するために用いられる図９等に示すようなクランプ又は、好ましくは対をなすフォーク（以下、フォーク対）１６等の積荷捕捉機構を更に備える。積荷６０は、当業者には公知であるように、フォーク対と係合するためのフォーク・ポケット又はパレット・ポケット７４を有するパレット７２を含むことが好ましい。当業者には公知であるように、フォーク対１６は、水平セグメント６２、縦ないし垂直セグメント７０及びその間に形成された移行セクション６８からなるセグメントを一般に含む。水平セグメント６２は、自動案内車両１０がパレット７２を持ち上げたときにパレット７２と係合する下部面６４及び上部面６３を一般に含む。水平セグメント６２は、フォーク端６６も含む。フォーク対１６の縦ないし垂直セグメント６４は、昇降機構１８又はマストに連結されている。昇降機構１８により積荷は、例えば、積荷を互いに積み重ねる等のため、種々な高さの位置に持ち上げられたり下ろされたりすることが可能となる。フォーク対１６は、一般的にフォーク・キャリッジ１７に装着される。フォーク対１６は、フォーク・キャリッジ１７に連結され、フォーク・キャリッジ１７は昇降機構１８に連結される。好ましい実施形態において自動案内車両１０は、更に２組の距離センサ、後部距離測定装置２０及び前部距離測定装置３０を備える。距離測定装置２０、３０はいずれも、操縦及び駆動機構に作動連結され、以下に更に詳述するように、自動案内車両１０を案内するために用いられる。
【００２４】
上述した積荷捕捉機構は、側方シフト機構２２によって水平方向に、係合した積荷をシフトないし移動可能であってもよい。図３に示すように、昇降機構１８には２つのフォーク対１６が備えられてもよく、各フォーク対１６は分離したフォーク・キャリッジ１７に取付けられ、各フォーク・キャリッジ１７は昇降機構１８に取付けられている。昇降機構１８によってフォーク・キャリッジ１７はフォーク対１６及び／又は積荷を必要に応じて縦方向に位置付けるように動作する。フォーク・キャリッジ１７は、縦スライド部材１５上に取付けられ、それは流体圧作動装置を備えていてもよく、これにより、昇降機構１８の持ち上げ能力に加えて各フォーク対１６がそれぞれ個別に６インチ（１５．２４ｃｍ）持ち上げる能力を有する。この個別の持ち上げ動作により自動案内車両１０は走行して、そのフォーク対１６を隣接する一対の積荷に対して位置付けることができる。フォーク対１６の一方のみを６インチ持ち上げることにより、自動案内車両１０が単一の積荷を隣接する一対の積荷から取り上げることができる。側方シフト機構２２を伴う同様な動作によって、自動案内車両１０は、２つの積荷を互いに横に並べた状態に配置したり、あるいはこれら積荷を単一箱型収容ラック内に配置することができる。水平移動可能となるため、フォーク・キャリッジ１７は油圧モータ２４及びチェーン２５を備えていても良い。フォーク・キャリッジ１７はチェーン２５により所望位置に引かれる。好ましい実施形態において、キャリッジ側レール２６がフォーク・キャリッジ１７を中央位置を越えて走行させ、自動案内車両１０がその中央位置に積荷を落下させることを可能とする。これを行なうために、１つのフォーク対１６が一側に移動ないしシフトするとともに通路より外れ、これによって他方のフォーク対１６が自動案内車両１０の中央に位置することが許容される。
【００２５】
積荷が積荷捕捉機構によって自動案内車両１０と係合したとき、該車両１０の前後方向の走行動作ならびに昇降機構１８と関連する側方シフト機構２２により、積荷は３次元の全ての方向において位置の調整が可能となる。図１に示す好ましい実施形態において、各フォーク対１６は、矢印３１で示すように水平方向に独立して移動可能である。又、各側方シフト機構２２は、フォーク対１６の移動を追跡するエンコーダ２３をそれぞれ備える。これらエンコーダ２３は、好ましくは水平方向におけるフォーク対１６の位置及び位置の変化速度の両方を追跡することができる。これらエンコーダ２３は自動案内車両１０の誘導システムと共働するとともにフォーク対１６を正しく位置付けるのに用いられる。フォーク対１６の水平方向の移動ないしシフト動作は、以下に記述する搬送体５０に積荷を積込む動作に関連して更に説明する。
【００２６】
上述の自動案内車両１０は、搬送体５０に積荷を自動的に積込む、あるいは積下ろしするのに使用される。この動作過程は、工場内の積込みドック位置に格納された運搬トレーラについて説明するが、これと同様の動作は、例えば平床式トレーラや軌道カーなどの同様の搬送体５０についても適用される。
【００２７】
搬送体への自動積込み動作
【００２８】
搬送体５０に積荷を積込むために、自動案内車両１０は、まず積荷と係合しなければならない。この係合は、通常パレットと一体をなす積荷のフォーク・ポケットと合致した自動案内車両のフォーク対１６の使用及び、積荷を地面より持ち上げる昇降機構１８の使用によって遂行される。フォーク・ポケットに対するフォーク対１６の合致は難しい動作であり精密さを要する。そのために好ましくは、該積荷が比較的精度の高い既知の位置ないし場所に位置付けられる。次いで、自動案内車両１０の誘導システムがこの既知の位置で該積荷に対応するようにプログラムされる。これによって、フォーク対１６及びフォーク・ポケットは互いに合致する。もし、積荷を精度高く既知の位置に配置するのが困難または実用的でない場合、自動案内車両によって積荷積込みをより広い領域とするように変更することも可能である。例えば、フォーク対１６の端部又はその近傍に光学センサをそれぞれ配置して積荷のフォーク・ポケットを検出するのに用いることができる。そして、自動案内車両１０が積荷位置に近づいたとき、フォーク・ポケットを探すようこれらの光学センサの電源を入れてもよい。フォーク・ポケットの検出位置に基づいて、自動案内車両１０は、その走行通路を調整ないし変更するか、あるいはフォーク対１６とフォーク・ポケットが対応するように、フォーク対１６が側方シフト機構２２によって調整される。これによって、より確実かつ安定した動作が保証されるが、このために追加的部材が必要となると、よりコストがかかり構成としての好ましさも低下する。
【００２９】
自動案内車両１０に積荷が積込まれると、該車両１０が工場内の積込みドック領域へ走行する。この実施形態においては、搬送体５０は積込みドックの隣接位置に配置される。場合によっては、該ドックから搬送体５０への自動案内車両１０の走行を容易にするために積込みランプが用いられる。このランプは２つの異なる面の間での自動案内車両１０の移行を容易にするように構成されている。この移行がいくらか平坦でない場合は、もし使うとすれば追跡ホイールが必要となろう。これにより損傷を回避するために押し上げられるとともに不作動状態にする。
【００３０】
自動案内車両１０は、搬送体５０に対して、その主たる第１の誘導システムを用い、積荷を積込みドック及び搬送体５０の近傍ないし近接した位置に搬送する。好ましい実施形態において、自動案内車両１０は、その主たる第１の誘導システムを用いて、搬送体５０の開口部ないし入口部５２に移動する。この地点で、該車両１０の第２の誘導システムが作動して該車両１０が意図した所望の積込み位置へ案内される。好ましい実施形態において、第２の誘導システムは、上述した２組の距離測定装置２０，３０を備える。後部距離測定装置２０は、該車両１０が前進するときに動作し、前部距離測定装置３０は、該車両１０が後進するときに動作するようになっている。これら距離測定装置は、アナログ音響センサで構成されるが、これに代えて、光学／ビジョンシステムや可動ビーム型のレーザー・スキャナ、レーザー型のものを用い得る。各組の距離測定装置は、自動案内車両１０が搬送体５０の中央を求めて移動するように動作する。これは、この装置のセンサを用いることにより達成されるが、そのセンサは、１つのセンサから搬送体５０の側壁をなす一側５４までの距離を他のセンサから搬送体５０の他方の側壁をなす他側５４までの距離から減算し、＋／−エラー信号を形成するように作動する。この＋／−エラー信号は自動案内車両１０の操縦機構によって使用され、該＋／−エラー信号をゼロに近づけさせるために、自動案内車両を適切な方向へと案内する。このようにして自動案内車両１０は搬送体５０の中央を求めるように移動するので、これにより、積込みドックに対する搬送体５０の位置付けにおいて傾斜ないし位置の外れを補償することができる。もし、積込みがなされる搬送体５０が既知の幅のものであれば、各組において１つのみのセンサを使用し得る。この実施形態において、１つのセンサからの距離は、＋／−エラー信号を得るために、搬送体５０の中央にある自動案内車両１０と関連する既知の距離から減算されるべきであり、それは自動案内車両１０の操縦機構により用い得、＋／−エラー信号をゼロに近づけるようにするために自動案内車両１０を適切な方向に案内する。他の実施形態において、自動案内車両１０は搬送体の中央を求める追跡動作を行なわないが、搬送体５０の一方の側５４から特定の距離を維持する。
【００３１】
自動案内車両１０は第２の誘導システムにより意図された所望の積荷位置へ案内される。この意図された所望積荷位置は、搬送体５０の最前の非占有部であるのが望ましい。実施形態において、自動案内車両１０は、搬送体５０の端部ないし端壁５６又は該搬送体５０上に予め積込まれた積荷が検出されるまで、搬送体５０のおおむね中央に向かって前進を継続する。この検出は、適宜構成された圧力センサ等により行なわれる。すなわち、圧力センサはフォーク対１６の一端部に配置され、搬送体５０の端壁５６又は他の積荷との接触を検出する。あるいは、好ましい実施形態において、該圧力センサは、フォーク対１６の他端部に配置され、積荷自体が端壁５６又は他の積荷と接触したときに該積荷に作用する。自動案内車両１０は意図する所望積荷位置に近づくと、その移動速度を低下させ、該車両１０のモータの駆動電流をモニターすることによって、搬送体５０の一端部ないし端壁５６と積荷との接触ないし衝突あるいは他の積荷との接触ないし衝突を検出する。例えば、比較的不動の対象物が自動案内車両１０に接触したとき、走行抵抗が増大すると、該車両１０の電動モータに供給される電流は同様に増大する。電流の増大は積荷がその意図する所望積荷位置に達したことの指標として用い得る。
【００３２】
自動案内車両が意図した積荷位置に達すると、該車両１０は積荷を他へ引渡す動作を遂行する。好ましい実施形態において、この動作は、積荷を昇降機構１８によって搬送体５０上に下降させる動作及びフォーク対１６をフォーク・ポケットから離脱させる動作である。積荷を引渡す動作ステップは、その前に側方シフト機構２２によって搬送体５０の一側に向かって外方向にフォーク対１６を係合した積荷とともに、移動ないしシフトさせる動作をも含む。好ましい実施形態において、積荷は２つの独立したパレットよりなり、その各々は図１に示すフォーク対１６の１つと係合する。この実施形態において、自動案内車両１０が自動案内車両１０の走行方向における意図した所望、積荷位置に達しようとするとき、側方シフト機構２２がフォーク対１６及びそれに係合した独立のパレットを搬送体５０の側部５４に向かって外方向に移動ないしシフトして互いに離間させる。この側方への移動ないしシフト動作の間、フォーク対１６の位置変化をエンコーダ２３が追跡する。好ましい実施形態において、該エンコーダ２３によりフォーク対１６の位置がもはや変化しないと検出されると、積荷は搬送体５０の側部５４に接触したと推測され、そして上述のように自動案内車両１０は更に搬送体５０の端部５６又は該搬送体上に前に積込まれた積荷を検出するまで前進する。この地点で、積荷は意図した積荷位置に達し、搬送体５０のベース上に積荷が下ろされる。
【００３３】
特許請求の範囲に記載された発明の範囲内で、上述の実施形態の種々の変形例についても本発明に含まれるものである。例えば、単一のフォーク対１６を備えた自動案内車両も本発明の方法を実施するのに使用可能である。この構成においては、フォーク対１６は、それぞれの積荷を搬送体５０の側部５４に配置し得るように側方シフト機構２２によって移動ないしシフトし得る。この態様では搬送体５０は一度に１つの積荷を積み込み得る。又、自動案内車両１０は積荷が引渡される搬送体５０の側部５４を交替することができる。更に、本発明においては、自動案内車両１０により搬送体５０に任意の積荷状態に積荷を積込むことが可能である。すなわち、例えば図４ａに示す好適な実施形態ように、積荷を搬送体５０の前部から後部にかけて並べた２つの積荷状態や、図４ｂに示すような積荷を前後に２つ並べた状態と前後の中間に１つ配置した状態により互いに異なる配列とした積荷状態など、考えられる種々のレイアウトに対応し得る。積荷が非対称形状の場合、例えば図４ｃに示す６０’で示す積荷が積荷６０の積荷状態に対して９０度回転した状態や、図４ｄで積荷６０を、いわゆるピンホイール・レイアウトで配置状態で示す、一部の積荷が他の積荷に対して回転するように、積荷に角度をつけてもよい。又更に、図４ａ−ｄは全て積荷が矩形状のものを示したが、本発明では、その他の任意の形状のものも扱うことができる。
【００３４】
上述のように、自動案内車両により積荷を搬送体に引渡す位置の自由度が高いので、積込みがなされる搬送体５０について最適な積荷状態を得ることができる。一般の配置構成では、搬送体には積荷がない遊びスペースが最少となるように積込みをするのが望ましいが、重い積荷の場合には搬送体の許容重量限度を越える恐れもある。このような場合、あるいは積荷積込みが満載状態よりは少ない場合、搬送体５０内の積荷の移動ないしシフトを最小限とするレイアウトを採り得る。この場合、本発明に係る自動案内車両１０及び方法により所望の積荷レイアウトで搬送体５０に積荷の積込みをなし得る。
【００３５】
積荷を引渡した後、第２の誘導システムが用いられ、自動案内車両１０とほぼ同じ場所ないし位置へ戻すように案内する。好ましい実施形態では、この場所は搬送体５０の入口部５２である。この場所において、主たる第１の誘導システムが用いられて自動案内車両の走行案内を行ない、例えば、他の積荷のピックアップを遂行させる。もし、実施形態におけるように追跡ホイールが用いられる場合、該ホイールは下降し、グラウンドに再び接触して、主たる第１の誘導システム、すなわち慣性誘導システムによる利用に供せられる。
【００３６】
好ましい実施形態において、主たる第１の誘導システムは、自動案内車両１０が第２の誘導システムにより誘導案内されているときに、該車両１０の運動を継続して追跡する。この継続的追跡によって、主たる第１の誘導システムによる、より正確な誘導案内再開を可能とする。以上の積込み動作は図５にフローで例示的に示してある。
【００３７】
搬送体からの自動積下ろし動作
【００３８】
搬送体からの積荷の積下ろし動作は、上述した積込み動作に極めて類似している。主たる違いは、ピックアップ動作で引き出されるべき積荷を搬送体上の正しい位置にあることを保証することが難しいことである。従って、自動案内車両１０は、これに対処し得るとともに積荷の位置のその他変化を補償し得るように構成されなければならない。当該動作のステップは、主たる第１の誘導システムで自動案内車両１０を案内して搬送体の近傍ないし近接した位置、好ましくは、搬送体５０の入口部５２のところに位置付けることである。この地点において、好ましくは上述したようなアナログ音響センサよりなる第２の誘導システムが作動して自動案内車両１０を積荷と合致するように案内する。上述のように、自動案内車両１０は、積荷のフォーク・ポケットを検出するのに用いる光学センサをフォーク対１６上又はその近傍に設けて、広範囲の積荷位置付けをなし得るように構成し得る。該車両１０が搬送体５０上の積荷位置に近づいたとき、これら光学センサが動作してフォーク・ポケットを見出す。そして、フォーク・ポケットの検出位置を基準として自動案内車両１０は、その走行路を変更するか、あるいは又、フォーク対１６が、これを移動ないしシフトさせるフォーク・シフター、すなわち上述の側方シフト機構２２及びスライド部材１５によって調整され、これによってフォーク対１６が自動案内車両１０とは独立して運動し得、フォーク対１６とフォーク・ポケットが相互に対応する。係合されると、積荷は自動案車両１０の昇降機構１８により持ち上げられる。次いで、第２の誘導システムが該車両１０を誘導案内を始めた同じ位置、すなわち搬送体５０の入口部５２とほぼ同じ位置へ、第２の誘導システムにより該車両が戻される。この地点において、主たる第１の誘導システムが用いられ、該車両１０の走行を案内する。好ましい実施形態において、主たる第１の誘導システムは該車両１０が第２の誘導システムにより案内されているときにも継続して該車両１０の運動を追跡する。これにより、主たる第１の誘導システムによる、より正確な誘導案内動作の再開を可能とする。
【００３９】
本発明の他の実施形態によれば、最初の自動案内車両１０が搬送体内５０に入る前に搬送体走行通路ないしパスを確定して主たる第１の誘導システムにより搬送体５０内をナビゲートすることが可能となる。搬送体パスを確定するに当たって、システムは積込みドック８２に対する搬送体５０の傾斜及び積込みドック８２の中央から搬送体入口部の中央部の水平方向のずれ、すなわちオフセットを確定しなければならない。実施形態によっては、システムも搬送体の床及びルーフの一方の位置及び相対角度を確定する。上述したように好ましい実施形態において、自動案内車両は慣性誘導システムを利用して自動案内車両１０を積込みがなされる搬送体５０の入口部５２へ誘導案内する。搬送体５０の入口部５２は、搬送体５０のドア５５の近傍にある。上述した方法とは異なり自動案内車両１０は、第２の誘導システムに切り替える必要はなく、その代りに、搬送体５０の入口部５２の付近で、システムが自動案内車両１０用に搬送体走行パスを、例えば、移動ビームレーザ又は光学システムを有するセンサを用いて確定して、搬送体５０の側壁の位置を確定すること等により搬送体５０を走査する。実施形態によっては、センサが搬送体のルーフ５８及び搬送体の床５７の少なくとも一方を走査してもよい。搬送体走行パスが確定されると、慣性誘導システム等の主たる第１の誘導システムを利用して、上述した例で説明した方法と同様の方法で搬送体５０対する積込み及び積下ろしを遂行することができる。
【００４０】
自動案内車両１０は、単一のセンサ１００又は複数のセンサを用いて搬送体５０の外部から搬送体５０の内部のデータ・プロファイルを作成してもよい。この別の実施形態において、搬送体５０のデータ・プロファイルは、自動案内車両１０の大部分が、その中に積荷６０が下ろされる搬送体５０に形成された空洞に入る前、特に、積荷６０が搬送体５０に入る前に作成される。例えば、水平変位、搬送体５０の傾斜、縦変位及び、搬送体の床５７の角度等の予定された位置からの偏差を特定するために搬送体５０のデータ・プロファイルを作成することにより、自動案内車両１０が搬送体５０に入る前に搬送体５０内に積荷６０を下ろすための最適パスに向かうよう自動案内車両１０が容易に操作を遂行できるようになる。より具体的には、オペレータのエラーにより、積荷６０が下ろされる搬送体５０、特にセミトレーラは、積込み領域８０に後ろ付けされたときの最適位置から通常にずれており、水平方向のオフセット又は傾斜において全く同じように位置付けされることはほとんどない。積込み領域又はドック８０は、積込みドック壁によって画定されるベイ開口部８２を含み、この開口部が搬送体の幅よりも広いためにこのオペレータのエラーが起こる。しかしながら、これにより起こったオペレータのエラーは、図４ｅに示したように、搬送体５０の幅とほぼ同一の幅の積荷６０を用いるシステムにおいて自動案内車両１０に関する問題を引き起こす。搬送体５０の積込み施設の床８５に対する垂直方向のずれも、自動案内車両１０にとって背の高い積荷に関する問題を引き起こす可能性がある。垂直方向のずれ及び自動案内車両の支持面に対する搬送体の床５７の角度も、自動案内車両に搬送体５０の入口部５２近傍に積荷を下ろす際の問題を引き起こす可能性がある。従って、自動案内車両１０は、積荷６０が搬送体に入る前にセンサ１００を用いて搬送体５０のプロファイルを作成する。それにより、図８に示すように搬送体５０が予定された位置から水平方向にずれている場合でも、側壁５４に積荷を接触させることなく、自動案内車両１０が搬送体５０に入ることが可能となる。図８に示したように、オペレータが搬送体５０を適切に合せた場合、搬送体５０の長軸５１は予定された長軸８４に合せられる。しかしながら、図８において搬送体５０は、搬送体の開口部５２又は入口部において予定された長手長軸をなす８４から水平方向にずれているだけでなく、予定された長手軸線をなす長軸８４からある角度で傾斜している。図９〜図１１において示したように、搬送体は積込み施設の床８５又はドック・ランプ８６に対して垂直方向にずれるまたは角度を持つ可能性がある。
【００４１】
搬送体５０へ入る際、搬送体５０の側壁５４との障害となる接触を避け、その後上述した第２誘導システムを用いて１組のセンサからの距離を減算して＋／−エラー信号を生成することにより搬送体５０の中央部を探し、自動案内車両１０を単純化させ、追加的なセンサを省くことにより製造コストを削減し、そして、積荷時間を短縮するために、自動案内車両は、「レーザーによる障害物センサを利用した無人車両用の慣性航法誘導システム」という題の米国特許第２００６／０２７６９５８に開示してあるようなセンサ１００を用いることができる一方で、本発明は、センサ１００を用いて搬送体５０の水平方向のずれ（オフセット）及び搬送体５０の傾斜又は角度の両方を単一のステップで処理する搬送体５０のデータ・プロファイルを作成する。この単一のステップにおいてセンサ１００は、垂直方向のオフセットを搬送体５０の角度と合せて判断してもよい。この方法によっても、２つのセンサを用いるシステムに必要な継続的な計算及び調整を排除することができるので、自動案内車両１０のより素早い動作及び積込み時間の短縮が可能となる。搬送体５０に対する積込み時間の短縮により、システムにおいて用いる自動案内車両の数を減少させることができるので、システムの初期費用及び運営費を大きく削減することができる。
【００４２】
好ましい実施形態において、主たる第１の誘導システムがたどる搬送体パスを作成するためにセンサ１００を用いることで第２の誘導システムの必要がなくなるが、場合によっては、第２の誘導システムを用いる。好ましい実施形態において自動案内車両１０は、Ａ位置、すなわちポジションＡに向けて進むことと搬送体パスに沿って進むことに同じナビゲーションシステムを用いる。上述したようにこの誘導システムは、慣性誘導、有線誘導、視覚誘導、テープ誘導、レーザターゲット誘導、又はレーザー誘導等のレーザー誘導を含む公知の任意のシステムであってよい。しかしながら、有線誘導システム、テープ誘導又は、レーザターゲット誘導が用いられる場合、慣性誘導システム、推測航法による誘導システム、視覚誘導システム又は、レーザー誘導システムも搬送体の走行のために含まれてもよい。特に段落（００１４）、（００２２）、（００３０）−（００３６）において上述したように、自動案内車両１０は、主たる第１の誘導システムを用いて、積荷６０を取得し、その後搬送体５０の外側の図８に示したポジションＡ等のポイントに自動案内車両を誘導する際、希望どおりに作動する。
【００４３】
ポジションＡは搬送体の外にあり、積荷６０の大きさ、自動案内車両１０の操縦能力、及び、センサ１００が自動案内車両上に位置する場合はセンサ１００の感度等に基づいて搬送体の入口部５２からの距離が異なる。より具体的には、ポジションＡは、センサ１００による搬送体５０の正確なデータ・プロファイルが可能であれば搬送体５０の外のいかなる位置、距離にあってもよい。センサ１００が側壁５４の位置を正確に確定しなければならない場合、それによって搬送体５０が予定された位置からどの程度横方向にオフセットしているかを確定し、そして、図８に示したように搬送体の傾斜又は角度を確定する。このデータ・プロファイルから、自動案内車両がたどる搬送体パスを計算してもよい。実施形態によっては、２つ以上のセンサを用いて搬送体の正確で完全なプロファイルを確実に行う。例えば、１つのセンサは持ち上げられた積荷の下で動作できるように自動案内車両の低いに位置に配置し、もう１つのセンサは、積荷の上から動作できるように高い位置に配置してもよい。２つ以上のセンサを用いる場合、それらセンサは、自動案内車両の両側に配置してもよいし、他の所望の場所に配置されてもよい。
【００４４】
搬送体のデータ・プロファイルによって自動案内車両及び実施形態によっては、中央コントローラが、搬送体に対して積込み及び積下ろしを遂行するために搬送体に対して出入りする最適なパスを確定し追加することによって運用システム及び運用パス又は自動案内車両の経路の中へ搬送体５０を配置させることが可能となる。システムは、フォーク対１６及び積荷６０の動きを自動案内車両の搬送体の中及び外における走行と統合させて搬送体５０の入口部５２の近傍での動作の干渉を避けるようにしても良い。もちろん、当業者であれば気が付くように、人間のオペレータが搬送体のシステムに対する利用可能性及びその搬送体の予定された目的地に関するデータを識別してシステムに対して提供することで、自動案内車両システムがいつ特定の搬送体５０に対して積込みを実行するか、積荷６０は何なのか、積荷６０はいくつあるか等を知るようにしても良い。搬送体５０の最適な位置付けからのずれに言及する際に「予定された位置」又は「理想的位置」と表現するが、自動案内車両又は自動案内車両を操作しているシステムは、予定された位置に関するデータを必ずしも備える必要はない。その代わりに、センサ１００が搬送体のデータ・プロファイルを作成し、次に自動案内車両が、搬送体が満たされシステムから取り外されるまでたどる最適なパス又は搬送体パスをシステムに対して計算して追加する。従って、コントローラ又は自動案内車両は、システムが各積込みドアに対して、使用中の動作システムの走行パス又はシステムにおける経路を切り替える最適な地点として識別したものであるポジションＡから各積込みベイにおける搬送体５０へ出入りする走行パスを、各搬送体に対して計算した追加的なセグメント又は追加的な走行パスに対して追加してもよい。自動案内車両は、ポジションＡから搬送体５０の中へと搬送体パスをたどり、積荷を下ろすと自動案内車両はポジションＡに戻るよう走行し、使用中のデータ・プロファイル又は搬送体５０内で確定された経路から次の目的に向かう標準システム走行パス又は経路に切り替える。
【００４５】
自動案内車両１０は、一般的に搬送体５０の長軸５１に対応するトレーラの中へ入っていく最適経路と位置合せするように動作する際に、最大の積荷６０がトレーラの入口部５２の外側に留まることを可能にする最も搬送体の入口部５２に近い地点としてのポジションＡは、システムのセットアップ時に確定されることが好ましい。自動案内車両１０をできる限り搬送体５０に近づけて配置することで、センサ１００が自動案内車両上に位置する場合、通常は自動案内車両による搬送体５０のデータ・プロファイルがよりよくなる。
【００４６】
例えば、センサの位置を最適化しながら積荷６０が搬送体５０の開口部ないし入口部５２を越える前に自動案内車両自体を搬送体５０内へ向かう所望の走行パスに合わせるために十分な操作スペースを提供することに関して、積荷６０がおよそ３フィートの深さを持つとともに自動案内車両自体を搬送体５０へ適切に合わせるために自動案内車両が必要とする操作スペースの平均がおよそ３フィートである場合、搬送体５０の外の予定された停止位置は、入口部５２から６フィート又はそれより若干遠くにある。センサ１００が自動案内車両に位置していない場合、入口部からより遠い距離に位置するポジションＡを設定することで、より大きな操作スペースを提供することが好ましい場合がある。これにより、自動案内車両は、積荷６０が搬送体５０に入る前に所望の搬送体パスに合わせるために、その位置及び走行パスをより楽に調整するので、操作速度が増し、結果として積込み時間が短縮される。
【００４７】
自動案内車両１０が、搭載コントローラ又は自動案内車両を指示する中央コントローラに、自動案内車両１０が動作する全体的なシステムに入った搬送体５０の方向又は計算された所望の搬送体パスを持たない場合、自動案内車両１０は、搬送体５０の方向を判断し得る、トレーラに関するイメージ、マップ又は、他のデータ・プロファイルを作成する。搬送体５０の方向を判断する際に重要なことは、進入する積荷６０が側壁５４に接触しないための、開口部５２、特に、開口部５２の各側における側壁５４が、予定された位置、すなわち一般的には積込みベイ８４の中央部からオフセットしているか、より詳細には、側壁５４の位置、及び側壁５４から判断されるトレーラの角度又は傾斜を判定することである。必要条件ではないが、空の搬送体５０に対して積込みを行う際にセンサ１００を用いて端壁５６の位置を判断し、搬送体がある程度荷積みされて到着した場合、搬送体における任意のパレット又は積荷までの距離を判断してもよい。端壁５６又は任意の搭載済みの積荷の位置から、自動案内車両１０又はシステムコントローラは、最初の積荷６０を下ろすために自動案内車両１０がどれほどトレーラ内に移動しなければならないかを計算することができる。好ましい実施形態において自動案内車両は、搬送体パスの長さを計算することで積荷が下ろされて最終的な位置に押される前にトレーラ内のより奥部まで移動することが可能となる。搬送体において積荷を押す距離を最小化することにより、自動案内車両１０の電池が再充電を必要とするまでの時間が長くなる。しかし、例えば、トレーラ及び移動のおおよその距離を知っている自動案内車両１０等を用いたりする他の任意の方法を用いて、積荷６０を配置する際に自動案内車両がどれほどトレーラ内に移動しなければならないかを判断してもよい。
【００４８】
自動案内車両１０の搬送体内の搬送体パスを決める際に、自動案内車両１０は、通常搬送体のデータ・プロファイルを集めて、次に側壁５４を分析して、搬送体の実際の長手方向に沿う軸線をなす長軸におおむね沿う走行ラインを確定する。より具体的には、自動案内車両１０は通常、積込みベイ８２の予定された長軸８４に沿った位置まで近づく。そして、レーザセンサ１００が搬送体５０の像を作ってデータ・プロファイルを作成し、通常は搬送体５０の実際の長軸５１に沿うものである予定された走行パスを確定する。この実際の長軸は、一般的には搬送体の側壁５４を数学的に平均することで搬送体５０への中央走行パスを作成することで計算される。
【００４９】
自動案内車両１０がポジションＡにあるとき、あるいは、ポジションＡより手前の位置にあるとき、自動案内車両は、センサ１００が搭載されていれば停止し、センサ１００を用いて搬送体５０をプロファイルする。ポジションＡが操作に必要な最小距離よりも遠くに位置するように搬送体の入口部５２から十分に離れている場合、自動案内車両は、積荷６０が搬送体５０に入る前に停止せずにセンサ１００を用いて搬送体をプロファイルできる可能性がある。図８におけるポジションＡはただ、搬送体の内部を感知するため及び／又は搬送体パスをたどる自動案内車両１０に切り替える、または更に積荷６０が側壁５４に接触せずに搬送体に入ることを含む搬送体パスに沿うよう適切に操作を行うための最も理想的な位置を示すのみである。そのため、誘導システム間で切り替えが起こるときにセンサ２０及び３０が搬送体内にある上述した実施形態と比べると、本実施形態では、搬送体への新規経路を計算し該経路を利用するために切り替えが行われている間、センサ１００が完全に搬送体の外にある。そのため、センサ１００が自動案内車両１０に搭載されている場合、ポジションＡに最初着いた自動案内車両が、搬送体５０のデータ・プロファイルを取得する。自動案内車両又は中央コントローラは、データ・プロファイルを用いて、どのような積荷６０を搬送体５０が受け取るのかに応じて、搬送体５０への最適経路、すなわち搬送体パス及び積荷６０の最適配置を計算する。そして自動案内車両は、ポジションＡから該搬送体５０への搬送体パスをたどって、積荷６０を配置し、その後、搬送体パスをたどって搬送体５０からポジションＡへ戻る。ポジションＡにおいて、搬送体パスからシステムにおいて用いられる次の目的地に向かう経路へ切り替える。
【００５０】
センサ１００は、レーザセンサ又は、例えば搬送体の開口部５２、側壁５４及び、端壁５６を感知し、搬送体の内部の画像を形成できるその他センサであることが好ましい。例えば、特に、搬送体に嵩の高い積荷を積み込む際に、センサは、搬送体のルーフ（図示せず）に関する情報も提供して、積荷６０の上面と搬送体のルーフの間に十分な隙間をもって自動案内車両が搬送体に入ることを保証してもよい。図６、７に説明したように、センサはフォーク対１６の間の自動案内車両の中央にある。この配置により通常、積荷６０間の隙間から搬送体５０の側壁５４及び天井までの高さの測定が可能となる。しかしながら、操作上の様々な必要性に応じて、センサ１００を他の位置に配置してもよい。例えば通常より幅又は長さにおいて２倍の大きさのパレットを使用するような、テーブルや家具又は他の装置等の大きな物体を有する工場もある。そのため、センサ１００が、パレットが幅２倍のパレットである場合に、天井見ることができ、又は自動案内車両のフォーク上に２つの長さが２倍のパレットが配置される場合に、側壁５４を見ることができるようにするために、センサ１００の配置に自動案内車両上の他の位置を利用してもよい。
【００５１】
好ましい実施形態においては、２番目に到着する自動案内車両は、既にシステム内の搬送方向に関する情報、より詳細には、ポジションＡから搬送体への搬送体パス及び積荷を下ろした後に搬送体からポジションＡへ戻る搬送体パスを備えている。先に到着した自動案内車両がシステムにシステム追加した、たどるべき搬送体パスを自動案内車両は知っているため、自動案内車両がたどっている経路を切り替えるときに、自動案内車両は、停止、さらには搬送体５０を感知せずにポジションＡを通過し、搬送体に入ることができる。最大限に効率を高めるためにシステムは、予定された搬送体パスへの切り替えをポジションＡの前に行ってもよい。これにより自動案内車両の操作時間を増やし、さらに経路を所望の搬送体パスに合わせるためにより長い時間と距離があるため自動案内車両の操作速度を上げることができる。例えば、慣性誘導システムを用いて自動案内車両を図８に示したようにポジションＡへ運ぶ。ポジションＡに到達する前又は到達すると中央コントローラは、所望の搬送体パスを自動案内車両に提供して、自動案内車両は継続して慣性誘導システムを用いて自車両を搬送体パスに合わせ、搬送体パスをたどって搬送体に入り、積荷６０を適切な位置に下ろす。自動案内車両は、慣性誘導システムを用いて逆方向のパスをたどってポジションＡへ戻る。ここで新しい目的地に向かうパスに切り替える。
【００５２】
もちろん、各自動案内車両は、搬送体に最初に近づいたとき又は近づく度に個別にデータ・プロファイルを作成し、通常は積荷６０が下ろすために搬送体５０の長軸５１に沿う所望の搬送体パスを計算するセンサ１００及びコントローラを備えてもよい。２度目以降に自動案内車両が積荷６０を下ろすために搬送体５０に近づく際、所望の走行パスを再計算してもよいし、あるいは、前回確定した走行パスを使用してもよい。少なくとも最初の２〜３台の自動案内車両にたどるべき搬送体パスを計算させることで、より正確な経路のための搬送体パス及びデータ・プロファイルの平均化が可能となる。しかしながら、センサ１００が自動案内車両に搭載されている場合、搬送体５０が積荷６０で満たされるにつれて通常側壁が見にくくなり、データ・プロファイルが測定する側壁が減るため、再計算したときに所望の走行パスにエラーがもたらされる可能性が大きくなるので自動案内車両が入る前に毎回分析することが逆効果となる可能性がある。
【００５３】
更なるステップとして、センサ１００がトレーラ５０の内部を走査するときに別のセンサが、積込みベイエリア８０内に固定された物品を走査して、システム内でその位置を較正してもよい。より具体的には、自動案内車両１０は、図８のポジションＡまで走行し、搬送体５０の内部を走査する際に積込みドック壁８３及び積込みドック・ベイ８２の場所に基づいて、ポジションＡから１／２インチ（１．２７ｃｍ）離れていると判断する可能性がある。積荷を置くために搬送体５０の中へと移動した後の自動案内車両は、ポジションＡに戻ってくる。しかし、ポジションＡに戻ってくると、予定された位置と実際の位置の間の以前の差異を調整する。そのため、自動案内車両１０は、追加のステップまたはシステム内の他の地点における較正なしに、簡単に自車両位置を再較正できる。第１の実施形態において、新規搬送体パスが搬送体５０の長軸５１に沿って確定すると自動案内車両は、慣性誘導システムを用いてトレーラ内部に向かって走行し、積荷６０を下ろす。個別の又は別の誘導システムではなく慣性誘導システムを用いることによって、自動案内車両を作成するにあったて、その如何なる利益を引き換えにすることなく経費を抑えることが可能となる。しかしながら、本システムは、推測航法、レーザー誘導、視覚誘導、テープ誘導、及び有線誘導等のその他多くの誘導システムを用いてもよい。慣性誘導システムを用いる際に、垂直方向ではなく水平方向の動きにジャイロスコープが調整されるため、自動案内車両がトレーラ５０に入るときに積込みドックに対する搬送体５０の垂直方向の如何なる位置ズレも、慣性誘導システムに影響しない。当業者であれば、実施形態によっては、較正の問題の排除又は、積荷からの重さが加わったときの搬送体の設定によって嵩の高い積荷が搬送体の上面に接触しないことを保証するため、各自動案内車両が独自で搬送体のデータ・プロファイルを作成することが有益であるとこを認識するだろう。実施形態によっては、特定の地点で慣性誘導システムを再較正したい場合、搬送体及び積込みエリア内の特定の固定された位置のデータ・プロファイルを作成して、システムに対する自動案内車両の較正を行うことが望ましい。
【００５４】
当業者であれば理解可能であるが、自動案内車両は一般にフォーク及び積荷６０を車両の後方に位置付けた状態で前方へ走行する。従って、図８のポジションＡに到達する前に自動案内車両は、一般に積荷６０又はフォーク対１６が搬送体５０に面するように動作する。その後自動案内車両は、必要があれば、搬送体を感知してデータ・プロファイル及び搬送体パスを作成し、積荷６０から先に搬送体５０の中へ移動する。搬送体を出ると次の積荷をピックアップするので、自動案内車両は、積荷６０を配置すると搬送体からポジションＡまで戻り、一般に車両がスローダウン、又は、停止しないようにプロファイル間又はシステム間の切り替えを行う。もちろん場合によってはセンサ１００をフォークの反対側に配置して、トレーラのデータ・プロファイルを作成するため、センサ１００の視界を開けてもよい。本実施形態においては、ポジションＡは、積荷６０が側壁５４に接触することなく積荷が先に搬送体５０に入るように、自動案内車両が１８０度回転して、搬送体パスに位置合わせができるよう入口部５２から十分離れた位置に配置されている。
【００５５】
自動案内車両は、最大限の積荷が車両に置けるよう積込みを行うため、自動案内車両は一般に計算したパスの端に到達すると積荷を下ろし、その積荷を搬送体の床に沿って残りの距離を押す。駆動ホイール上の電流センサを用いることにより、積荷が前回の積荷と接触したこと、そして、積荷が搬送体上の前回の積荷に対して密着して下ろされたことを判断することができる。
【００５６】
実施形態によっては、センサ１００を車両ではなく、自動案内車両１０の通路上でない場所で、かつ、搬送体５０の内部が十分に見える場所である積込みドックの任意の場所に含まれていてもよい。例えば、積込みベイのドア及び搬送体５０へのドアを開けるとすぐにセンサが自動的に撮像し、所望の位置に対するオフセットや傾斜等を含む搬送体の実際の位置のデータ・プロファイルを作成できるように、搬送体に面する各積込みベイから６フィートほど離れた位置にあってもよい。この更新されたデータ・プロファイルは、その後中央コントローラに記録され、それにより、各自動案内車両に対して走行経路又は搬送体パスが提供されるため、搬送体の位置のデータ・プロファイルを作成し、中央コントローラを更新して自動案内車両用の走行パスを確定するというステップを少なくとも最初の自動案内車両に関して省くことができる。従って、中央コントローラは所望の走行パスを作成でき、自動案内車両は車両走行パスの標準データ・プロファイルを用いる慣性誘導システムを用いてポジションＡまで走行可能となる。そして、ポジションＡに到達すると、ポジションＡのデータ・プロファイルを予定された走行パスから実際の搬送体５０への走行パスへ切り替えるので、停止することなく、多くの場合にはスローダウンさせすることもなく、搬送体５０の中へと停止せずに移動することができる。センサが自動案内車両の外に位置する場合、センサは、積込みベイエリア８０内または各トレーラの上方又は各トレーラの間等、積込みベイの外側に位置していてもよい。自動案内車両用の更新されたデータ・プロファイルを提供するためには、一般に搬送体５０の水平方向の傾斜及びオフセットだけを確定する必要がある。
【００５７】
図には搬送体の中にパレット対を運搬できるように２組のフォーク対を有する車両として自動案内車両を示しているが、場合によっては、１組のフォーク対を有する車両を用いて積荷を並べて配置するための新規搬送体パスを搬送体への各パスに対して確定してもよい。
【００５８】
本発明は、特にダブル・パレット・システムにおけるパレットの各側と搬送体の側壁との間に最小限の隙間しかない非常に幅の広い積荷に対して有効である。計算した搬送体パスを用いて自動案内車両１０は、積荷と各側の側壁との隙間が１／２インチ（１．２７ｃｍ）よりも狭い状態で搬送体に入り、搬送体５０の側壁に当たることなく積荷６０を配置予定位置まで移動することができると考えられる。
【００５９】
上述したシステムは、自動で搬送体からの積荷の積下ろしを行うためにも用いることができる。搬送体からの積荷の積下ろし動作は、実質的に上述した搬送体への積荷の積込み動作と同様である。しかしながら、パレットが搬送体５０の開口部付近に配置されるような完全に満載状態の搬送体５０において自動案内車両は、データ・プロファイルを作成するために搬送体５０を感知することなしにこのパレットを積下ろしてもよい。最初のパレットが下ろされた後又は、搬送体５０が満載状態でない場合、自動案内車両は、トレーラの側壁及び位置を感知して搬送体５０の傾斜及び水平方向のオフセットを確定してもよい。積荷６０が連続的に自動案内車両から下ろされる際、センサ１００によって最初に測定された部分的に積み込まれた搬送体の側壁の量は限られるので、データ・プロファイルにおけるエラーを減らために後続の自動案内車両がトレーラのデータ・プロファイルを作成してもよい。各パレット又は積荷６０が搬送体５０から下ろされると、側壁５４のより多くの部分が見えるようになり、より正確なデータ・プロファイルが作成可能となる。システムは、前回とそれに続くデータ・プロファイルの間の差異が閾値レベルより小さくなったとき、搬送体の傾斜やオフセット及び各後続の自動案内車両に対する所望の搬送体パスを確定してもよい。トレーラ上のパレットの位置ズレのためにトレーラ内の位置合わせを一旦微調整するために、当技術分野で公知の何れかのパレット・ポケット感知システムを用いてフォークをパレット・ポケット内に合せてもよい。積込みエリア８０の天井から吊るされる場合のようにセンサ１００が自動案内車両から離れて位置する実施形態においては、搬送体からの積下ろしにおいて、センサ１００は積荷６０を上面から見ることができるため、搬送体の内部に関するエラーが最小限の完全なデータ・プロファイルを作成することができ、積荷が満載の搬送体についても搬送体の傾斜及びオフセットを正確に確定することができる。各自動案内車両が搬送体５０のデータ・プロファイルを作成する必要はないので、搬送体から積み下ろすために自動案内車両の外にセンサを配置させることにより、より有効なシステムを提供することができる。
【００６０】
センサ１００が自動案内車両上に位置する場合、センサが積荷を下又は上から見ることができるような位置に配置することが好ましい。施設によって積荷６０のタイプが異なるので、センサを車両の下部に配置して積荷６０の下を見て搬送体５０の内部を感知することが好ましい。通常、このタイプの配置は地面から少なくとも４〜６インチ（１０．１６〜１５．２４ｃｍ）ほど離れており、２重フォーク自動案内車両上では、予定された好ましい位置が自動案内車両の水平方向のほぼ中央で、７．５インチ（１９．０５ｃｍ）地面から離れている。もちろんセンサは、搬送体５０の側壁５４、好ましくは搬送体５０への開口部を画定する側壁の端壁を含む側壁５４の位置の許容できる読取を受け取り可能な位置ならどこに配置してもよい。センサ１００を積荷６０の通常運搬位置の下に配置した状態にあることで、動いている間に自動案内車両は、トレーラのデータ・プロファイルを作成することができるため、停止することなく、ポジションＡにおいてセンサが提供した新しいデータ・プロファイルによって確定される更新された走行パスに切り替えることができる。
【００６１】
上述したように、センサ１００を用いて搬送体の床５７又は搬送体のルーフ５８のどちらか一方の相対位置を確定することにより、パレットの最後の数点又は搬送体５０の入口部５２のすぐ内側の積荷６０等のような搬送体の端における積込みに関して選択肢ができる。搬送体５０に対する積込み及び積下ろしを行う上記方法は、全てのタイプの搬送体に対して有効であるが、搬送体５０の端部近傍の積荷６０の積込み及び積下ろしは困難な場合がある。より具体的には、図１１〜１９に示したように、自動案内車両のより多くの部分が載っている支持面が積荷６０、具体的にはパレット７２が、下ろされるまたは移動される面に対して角度を有する場合、フォークがパレット７２から取り外される又は挿入される際、自動案内車両１０のパレット・フォーク１６がパレット７２と干渉することで困難が生じる可能性がある。パレット７２には、フォーク対１６が積荷６０を持ち上げるために挿入されるパレット・ポケット７４を有する。積荷６０を所望の位置に運んだ後、フォーク対１６は、積荷を置いて、積荷６０から取り外される。図１１〜１９に示すよう、積込みベイの床８５又はドック・ランプ８６等のような自動案内車両１０が載っている面に対して角度を有する搬送体の床５７等の面に積荷６０が載せられる場合、自動案内車両は、積荷を正確に下ろし、自動案内車両がポケットからフォークを取り出すときに下ろされた位置に留まることを保証することが困難であり、又、搬送体５０からの積下ろしを行う場合、自動案内車両がフォークをポケットに挿入して積荷６０をピックアップすることが困難である。パレット・ポケット７４は狭いので、面同士の角度の僅かに異なることで、パレット・ポケット７４の上部表面又は下部表面の一方にフォーク端６６が当たり、パレット・ポケット７４の上部表面又は下部表面の他方に水平セグメント６２の移行セクション６８に最も近い位置が当たる。上記の説明及び説明図から容易に理解できるように、この接触により搬送体５０の入口部又は端部５２での操作中に問題が起こる場合がある。より具体的には、自動案内車両が搬送体に入ると、ホイール１２及び１４は、搬送体の床５７に位置するようになるので、自動案内車両の支持面は積荷の支持面と同じとなるため、搬送体の奥部にある積荷に関しては問題がない。従って、図面から明らかなように、ドア５５又は入口部５２の内側の１つ又は２つのパレットについては、自動案内車両１０が、搬送体の床５７に対して角度を有するドック・ランプ８６又は積込みベイエリア８５の上に留まった状態で積荷を配置しようとするため、問題が存在することがある。
【００６２】
上述したように、自動案内車両がポジションＡに到達するとセンサ１００は、搬送体を走査して搬送体の床５７又は搬送体のルーフ５８のうちの少なくとも一方を確定する。搬送体のルーフ５８及び搬送体の床５７は、通常平行であり、通常、自動案内車両が搬送体の床５７の積込みベイの床８５に対する相対的な高さと搬送体の床５７の積込みベイの床８５に対する相対的角度を確定するために、これらの表面のうちの一方だけを確定すればよい。又、センサ１００が搬送体５０の位置を走査するときは、搬送体５０の積込みベイの開口部８２又はドック壁８３に対する相対的位置を確定してもよい。この搬送体５０のドック壁８３に対する位置と、搬送体の床５７の積込みベイの床８５に対する相対的な角度及び高さの違いを併せて確定することにより、自動案内車両１０又はシステムコントローラが搬送体５０の内部へ延びるドック・ランプ８６の相対的角度を確定できるようになる。必要に応じて自動案内車両は、ドック・ランプ８６が搬送体内部にどのくらい延びるかを更に確定してもよい。従って、積荷６０を搬送体５０の端部の近傍に配置するためにシステムは、上述した誘導システムに従い、搬送体の床５７の積込みベイの床８５に対する相対的角度及び相対的な垂直方向の変位を確定する。自動案内車両は必要に応じてドック・ランプ８６の相対的位置及び角度も確定する。
【００６３】
この通りに搬送体５０の相対的位置を自動案内車両１０が確定することで、自動案内車両１０は、搬送体の床５７に対して角度を有する支持面上の端に位置するときに、パレット７２が搬送体の床５７又は搬送体のルーフ５８に確実に触れないように所望の高さまで積荷６０を持ち上げた状態で搬送体５０に入ることができる。所望の位置に積荷６０がある状態で自動案内車両１０は、傾斜機構４０を用いて昇降機構１８又はフォーク・キャリッジの一方を傾けてもよい。昇降機構１８又はフォーク・キャリッジ１７の相対的傾斜を確定するために傾斜センサ４２を含んでもよい。図１１〜１９は傾斜した昇降機構１８を示す図であるが、当業者であれば分かるように、フォーク・キャリッジ１７が傾斜している間に昇降機構１８は静止したままでもよい。昇降機構１８又はフォーク・キャリッジ１７を傾斜させることで、自動案内車両１０は、自動案内車両１０の支持面とパレット６０の支持面の相対的角度の違いを埋め合わせてもよい。この埋め合わせにより自動案内車両は、積荷を搬送体の床５７に確実に配置することが可能となり、そして、フォーク対１６を実質的に干渉がないとされる最小限の干渉でパレット・ポケット７４から取り出すことが可能になり、積荷６０の位置が実質的に変わらないようにできる。
【００６４】
積荷６０を搬送体５０内に下ろす際に、搬送体５０の外側又は部分的に搬送体５０の中にある自動案内車両１０の支持面と搬送体の床５７の相対的位置の間に険しい相対角度がある場合、昇降機構１８又はフォーク・キャリッジ１７を傾斜機構４０によって傾斜させる際に複数の調整が必要である。より具体的には、搬送体のルーフ５８までの隙間が最小限の嵩の高い積荷等に対しては、搬送体の長軸に沿った自動案内車両の動きに合せて複数の傾斜機構４０による角度調整が必要となることがある。例えば、自動案内車両１０が搬送体５０に入るにつれて傾斜機構４０は、協調した傾斜運動、具体的には、自動案内車両１０の前進する動きと協調した動きをすることが必要となる。そのため、最小限の隙間の積荷に対しては、パレット７２は、積荷が搬送体のルーフ５８又は搬送体の床５７に対して接触しないようにほぼ弓状の動きをする。従って、自動案内車両１０が搬送体の内部に進むにつれて、傾斜機構４０は積荷６０に徐々に角度をつけるので、パレット７２の前縁は搬送体の床５７とは接触しない。そしてパレット７２は、搬送体の床５７の所望の位置に配置される。そして、積荷６０を下ろす間フォーク対１６は下げられ、自動案内車両は、進む方向を搬送体５０から出る方向に逆向きする。パレット・ポケット７４内の隙間が極小であるため、フォーク対１６がパレット・ポケット７４に接触しないことを保証するために、フォーク対１６もまた、一般に自動案内車両が搬送体を出るにつれて、徐々に角度がつけられる。フォーク対１６がパレット・ポケット７４を実質的に持たない状態になると、自動案内車両１０は続けてポジションＡに戻り、同時に、傾斜機構４０、具体的には、昇降機構１８及びフォーク・キャリッジ１７のうちの一方を実質的に垂直な位置に戻す。
【００６５】
更なる実施形態において、フォーク・キャリッジは、図１１〜１９に示したように、フォーク対１６が上下に浮いたり傾斜したりできるようにするスロット１９を含んでもよい。フォーク対１６がある程度浮くことが可能となることで、フォーク対１６をパレット・ポケット７４からスムーズに取り出すために必要な調整の回数を減らすことができる。フォーク対１６は、垂直方向に自由に浮き、限られた距離だけ傾斜するので、自動案内車両は、昇降の調整をする必要はなく、傾斜調整だけが必要となる。もちろん、示してはいないが他の実施形態において、フォーク対１６は、浮く能力なしでフォーク・キャリッジに固定されてもよい。
【００６６】
上述したように、自動案内車両上のコントローラ又はシステムコントローラは、自動案内車両の支持面と搬送体の床５７の相対角度を測定して、自動案内車両が搬送体５０を出たり入ったりする際の積荷６０又はフォーク対１６に要求される傾斜及び、必要であれば、自動案内車両の動きと協調したフォーク対１６の動きを確定してもよい。これにより、搬送体５０の端部での積込み又は入口部に最も近い場所での積込みがスムーズかつ効率的に行われるので、自動案内車両１０が搬送体５０の入口部５２に積み込むときに積荷の配置が移動したりズレたりすることを確実に防止することができる。上述したシステムは、搬送体５０に対する積下ろしを改善するために図に説明したように逆にしてもよい。より具体的には、自動案内車両が、フォーク対１６を少なくとも入口部５２又は搬送体５０の端部の最初の積み荷６０のパレット・ポケット７４に延ばす際、自動案内車両は、搬送体５０の確定された相対的位置を利用して傾斜機構４０を用いるフォーク対１６の位置合せをしてパレット・ポケット７４内のフォーク対１６の干渉を防止してもよい。自動案内車両は、パレット・ポケット７４に入る際のフォーク対１６の動きを調整して自動案内車両が前方へ動いてもフォーク対１６がパレット７２に確実に接触しないことようにしてもよい。センサ１００が積荷を積み込まれた搬送体５０をポジションＡにおいて測定する場合、積荷６０が搬送体の床５７を測定するのを干渉することがあるので、センサは、搬送体のルーフ５８を測定することになっている。もちろん、実施形態によっては、センサは積込みベイのドアの外側又は搬送体の積込みエリア８０の先の積込み施設の外側に配置されて、搬送体５０の相対的位置を確定することで個々の自動案内車両１０が搬送体を走査する必要性を無くしてもよい。施設内にあり自動案内車両１０上にはないセンサも、搬送体５０の床又はルーフの一方を計測して自動案内車両又はシステムコントローラにそれを通信してもよい。外部のスキャナの利用は、積込みベイの施設に対する搬送体の位置を確定させ、積荷を適切に配置するとともに入口部５２に最も近い積荷を積込んだり積み下ろしたりするために必要な情報で自動案内車両を更新する中央コントローラと通信してもよい。
【００６７】
以上の説明は、本発明の例示的施形態を開示する。当業者には本発明が、これら実施形態の構成に限定されず、以下の請求項で定義される発明の本質及び妥当な範囲から離れることなく種々の可能な変形構成を含み得ることが理解されるであろう。
【図１】
2011518741.tif 000003
【図２】
2011518741.tif 000004
【図３】
2011518741.tif 000005
【図４ａ】
2011518741.tif 000006
【図４ｂ】
2011518741.tif 000007
【図４ｃ】
2011518741.tif 000008
【図４ｄ】
2011518741.tif 000009
【図４ｅ】
2011518741.tif 000010
【図５】
2011518741.tif 000011
【図６】
2011518741.tif 000012
【図７】
2011518741.tif 000013
【図８】
2011518741.tif 000014
【図９】
2011518741.tif 000015
【図１０】
2011518741.tif 000016
【図１１】
2011518741.tif 000017
【図１２】
2011518741.tif 000018
【図１３】
2011518741.tif 000019
【図１４】
2011518741.tif 000020
【図１５】
2011518741.tif 000021
【図１６】
2011518741.tif 000022
【図１７】
2011518741.tif 000023
【図１８】
2011518741.tif 000024
【図１９】
2011518741.tif 000025
【国際調査報告】
2011518741.tif 000026